(57)【特許請求の範囲】
【請求項１】
筐体内の、撮影レンズの結像位置に、撮像素子を配置してなる電子スチルカメラにおいて、
前記筐体は、
後面壁に撮像素子が近接して配置された胴体中央部と、
前記胴体中央部に連続して左右方向の一方に形成され、前記胴体中央部の前面聖より前方に突出してなるグリップ部と、
前記胴体中央部に連続して左右方向の他方に形成され、収容スペースを有してなる電気部品収納部とで構成され、
前記グリップ部材には、記録圧縮回路基板が、前記撮影レンズの光軸と平行に配置され、
前記電気部品収納部の内部または外部に１以上の画像表示系部品が配置されている
ことを特徴とする電子スチルカメラ。
【請求項２】
前記筐体内には、前記撮像素子を挟んで該撮像素子の左右両側に低温発熱性電気回路基板がそれぞれ配置され、前記各低温発熱性電気回路基板より左右方向で各外側に高温発熱性電気回路基板がそれぞれ配置されていることを特徴とする請求項１記載の電子スチルカメラ。
【請求項３】
前記画像表示部の照明用光源は筒型に構成され、前記照明用光源は、４角形状の液晶表示部におけるレンズ光軸から最も遠い側の１辺に平行に配置されていることを特徴とする請求項１または請求項２記載の電子スチルカメラ。
【請求項４】
前記筐体内において、前記胴体中央部は、前記グリップ部及び前記電気部品収納部と、仕切り部材により別空間に仕切られていることを特徴とする請求項１ないし請求項３いずれか記載の電子スチルカメラ。
【請求項５】
前記画像表示系部品は、画像表示回路基板を含み、
前記画像表示回路基板は、前記電気部品収納部の内部において、前記撮影レンズの光軸と平行に配置されていることを特徴とする請求項１ないし請求項４いずれか記載の電子スチルカメラ。
【請求項６】
前記画像表示回路基板は、前記筺体内において、前記撮像素子の配置されている前記胴体中央部を前記電気部品収納部と仕切るように配置されていることを特徴とする請求項５に記載の電子スチルカメラ。
【請求項７】
前記記録圧縮回路基板は、前記筐体内において、前記撮像素子の配置されている前記胴体中央部を前記グリップ部と仕切るように配置されていることを特徴とする請求項１ないし請求項６いずれか記載の電子スチルカメラ。
【発明の詳細な説明】
【０００１】
【発明の属する技術分野】
本発明は、電子スチルカメラに関し、詳しくは、電気回路部品及び画像表示系部品の配置に関するものである。
【０００２】
【従来の技術】
被写体からの撮影光を影像素子により光電変換して被写体像を電子データとして保存する電子スチルカメラは、周知である。電子スチルカメラの一種として一眼レフレックス式電子スチルカメラがある。この一眼レフレックス式電子スチルカメラについても、銀塩カメラと同様に、小型化，操作性，画質向上等の機能が要求されている。一眼レフレックス式電子スチルカメラは、銀塩カメラとは一部共通点はあるが、被写体像を電子データとして保存することから原理的に構造が相違している。例えば、一眼レフレックス式電子スチルカメラとして図５に示すものが知られている。なお、図中において、左右方向，前後方向は、それぞれ一眼レフレックス式電子スチルカメラにおける左右方向，前後方向を示している。
【０００３】
図において、符号１０１は一眼レフレックス式電子スチルカメラで、一眼レフレックス式電子スチルカメラ１０１は、筐体１０２を備えている。
筐体１０２の前面壁１０３の左側部分に、開口部が形成されている。開口部と一体に筒状部が設けられ、筒状部内にレンズ１０４が固定されている。
筐体１０２の前後方向略中央部分に、撮像素子１０５が配置されている。撮像素子１０５はレンズ１０４のレンズ光軸及びファインダ光軸を含む面Ｍ１に直交し且つ左右方向で対称に位置している。
【０００４】
筐体１０２には、左右方向の右方にグリップ部１０６が形成されている。グリップ部１０６は筐体１０２の前面壁１０３より前方に曲がり部を突出して形成されている。
このようにして、レンズ光軸及びファインダ光軸を含む面Ｍ１に対して右側にはグリップ部１０６のみが配置されている。従って、左側にはグリップ部１０６に対応する部分がなく、筐体１０２は平面視で略Ｌ字形状を構成しており、左右アンバランスの形状になっている。
【０００５】
撮像素子１０５の背面に撮像素子基板１０７，第１電気回路基板１０８，第２電気回路基板１０９が順番に配置されている。
第１電気回路基板１０８，第２電気回路基板１０９には、例えば、画像表示回路，インバータ回路等の画像表示用駆動回路，記録圧縮回路が搭載されている。
第２電気回路基板１０９の背面には、撮像素子１０５の左右方向の位置と略同じ位置に照明用光源１１０が配置され、さらに、照明用光源１１０の背面に液晶表示部１１１が配置されている。
【０００６】
グリップ部１０６内には、電池ボックス１１２が配置され、電池ボックス１１２内には電池１１３が収容されている。
第２電気回路基板１０９の右側部分に、その後方に位置して外部記録部材用コネクタ１１４が左右方向に沿って配置されている。
【０００７】
【発明が解決しようとする課題】
ところが、従来の一眼レフレックス式電子スチルカメラ１０１にあっては、撮像素子１０５の背面に、第１電気回路基板１０８，第２電気回路基板１０９が並んで左右方向に沿って配置されているので、筐体２の全厚みが銀塩一眼レフレックス式カメラに比較して大幅に増していた。そのため、一眼レフレックス式電子スチルカメラ１０１は大型になって手で握り難く、操作性が大幅に低下したり或いは違和感を生じるという問題があった。
【０００８】
また、一眼レフレックス式電子スチルカメラ１０１は、筐体１０２は平面視で略Ｌ字形状を構成しており、レンズ光軸及びファインダ光軸を含む面Ｍ１に対して左右アンバランスの形状になっているので、従来の銀塩一眼レフレックスカメラとは異なる重量バランスになったり、筐体１０２の左側部分が手で握り難くて操作性が大幅に低下したり或いは違和感を生じるという問題があった。
【０００９】
さらに、撮像素子１０５は、第１電気回路基板１０８，第２電気回路基板１０９，照明用光源１１０に接近して配置されており、第１電気回路基板１０８，第２電気回路基板１０９の発熱や、照明用光源１１０の発熱により、撮像素子１０５の温度が上昇し、撮像素子１０５のＳ／Ｎが悪化してしまい画質劣化を招いていた。なお、撮像素子１０５の温度上昇を避けるため、撮像素子１０５と第１電気回路基板１０８を前後方向で離すことも考えられるが、この場合には、筐体１０２の全厚みが増すことになり操作性の点から好ましくない。
【００１０】
本発明は、上述の問題点を解決するためになされたもので、その目的は、筐体の全厚みを薄くして小型化を図り、従来の銀塩一眼レフレックスカメラと同等の操作性を維持する形状を構成し、撮像素子が電気回路基板の発熱の影響を受けずに画質の低下を抑えることができる電子スチルカメラを提供することである。
【００１１】
【課題を解決するための手段】
請求項１記載の発明は、筐体内の、撮影レンズの結像位置に、撮像素子を配置してなる電子スチルカメラにおいて、前記筐体は、後面壁に撮像素子が近接して配置された胴体中央部と、前記胴体中央部に連続して左右方向の一方に形成され、前記胴体中央部の前面聖より前方に突出してなるグリップ部と、前記胴体中央部に連続して左右方向の他方に形成され、収容スペースを有してなる電気部品収納部とで構成され、前記グリップ部材には、記録圧縮回路基板が、前記撮影レンズの光軸と平行に配置され、前記電気部品収納部の内部または外部に１以上の画像表示系部品が配置されていることを特徴とする。
【００１２】
請求項２記載の発明は、請求項１記載の電子スチルカメラ前記筐体内には、前記撮像素子を挟んで該撮像素子の左右両側に低温発熱性電気回路基板がそれぞれ配置され、前記各低温発熱性電気回路基板より左右方向で各外側に高温発熱性電気回路基板がそれぞれ配置されていることを特徴とする。
請求項３記載の発明は、請求項１または請求項２記載の電子スチルカメラ前記画像表示部の照明用光源は筒型に構成され、前記照明用光源は、４角形状の液晶表示部におけるレンズ光軸から最も遠い側の１辺に平行に配置されていることを特徴とする。
【００１３】
請求項４記載の発明は、請求項１ないし請求項３いずれか記載の電子スチルカメラにおいて、前記筐体内において、前記胴体中央部は、前記グリップ部及び前記電気部品収納部と、仕切り部材により別空間に仕切られていることを特徴とする。
請求項５記載の発明は、請求項１ないし請求項４いずれか記載の電子スチルカメラにおいて、前記画像表示系部品は、画像表示回路基板を含み、前記画像表示回路基板は、前記電気部品収納部の内部において、前記撮影レンズの光軸と平行に配置されていることを特徴とする。
請求項６記載の発明は、請求項５に記載の電子スチルカメラにおいて、前記画像表示回路基板は、前記筺体内において、前記撮像素子の配置されている前記胴体中央部を前記電気部品収納部と仕切るように配置されていることを特徴とする。
請求項７記載の発明は、請求項１ないし請求項６いずれか記載の電子スチルカメラにおいて、前記記録圧縮回路基板は、前記筐体内において、前記撮像素子の配置されている前記胴体中央部を前記グリップ部と仕切るように配置されていることを特徴とする。
【００１４】
（作用）
請求項１記載の発明においては、筐体のグリップ部内に記録圧縮回路系部品が配置され、電気部品収納部の内部または外部に多くの画像表示系部品が配置されているので、記録圧縮回路系部品，画像表示系部品が機能ごとに左右に分割され、従来のように筐体の胴体中央部に電気回路基板を配置する必要がなく、筐体の胴体中央部が薄くなり、筐体の厚みが増すことはない。
【００１５】
請求項２記載の発明においては、熱による性能変動の少ない２枚の低温発熱性電気回路基板により筐体の内部空間が分割され、温度上昇の大きな高温発熱性電気回路基板の内部空間は撮像素子の配置された内部空間と別空間に仕切られている。
【００１６】
従って、高温発熱性電気回路基板で発生した熱は、低温発熱性電気回路基板により、撮像素子の配置された内部空間へ伝達され難くなっている。このため、撮像素子の配置された内部空間は空気対流による撮像素子の温度上昇が抑制される。
請求項３記載の発明においては、画像表示部の照明用光源は筒型に構成され、照明用光源は、４角形状の液晶表示部におけるレンズ光軸から最も遠い側の１辺に平行に配置されているので、照明用光源は撮像素子から遠くなり、画像表示部の照明用光源の発熱による撮像素子の温度上昇が抑えられ、高画質な撮影画像が得られる。
【００１７】
【発明の実施の形態】
以下、図面により本発明の実施の形態について説明する。
図１ないし図３により、請求項１ないし請求項７記載の発明の実施の形態に係わる電子スチルカメラについて、一眼レフレックス式電子スチルカメラを例に挙げて説明する。図１は図３のＸ−Ｘ線に沿って切断した断面図である。なお、図中において、左右方向，前後方向，上下方向は、それぞれ一眼レフレックス式電子スチルカメラにおける左右方向，前後方向，上下方向を示している。
【００１８】
図において、本実施の形態に係わる一眼レフレックス式電子スチルカメラ１は、筐体２と、筐体２に設けられた交換レンズユニット３とを備えている。なお、一眼レフレックス式電子スチルカメラ１には、周知の銀塩一眼レフレックス式カメラに対してレンズ系，ファインダ装置等の機構部品と同様の機構部品が内蔵されている。
【００１９】
筐体２は、胴体中央部４と、胴体中央部４に連続して左右方向の右方に形成されたグリップ部５と、胴体中央部４に連続して左右方向の左方に形成されて収容スペース６Ａを有してなる電気部品収納部６とを備えている。
交換レンズユニット３は、円筒体と、円筒体の内壁面に固定したレンズとで構成されている。
【００２０】
前面壁７の胴体中央部４における部分には開口部を有するマウント部が形成され、マウント部に交換レンズユニット３が着脱自在に介装されている。
筐体２内には、レンズの結像位置で且つレンズ光軸及びファインダ光軸を含む面Ｍに直交してＣＣＤからなる撮像素子８が配置されている。撮像素子８は、撮像素子基板９上に搭載され、後面壁１０の胴体中央部４における部分に近接して位置している。撮像素子基板９はサイドブラケット２Ａ，２Ａを介して胴体取付部２Ｂに取り付けられている。撮像素子８，撮像素子基板９の温度上昇が画質性能に大きく影響を及ぼすとされている。
【００２１】
筐体２の左側部分には、背面からみて４角形状の画像表示用窓１１が形成されている（図３）。
グリップ部５は、筐体２の前面壁７の胴体中央部４における部分より前方に突出して形成される曲がり部１２を有し、後面壁１０のグリップ部５における部分には、上下方向にスロット孔１３が形成されるとともに、スロット孔１３の右外側に位置して開閉蓋１４が回動自在に取り付けられている。開閉蓋１４は図１には開状態（２点鎖線で示す）が示されており、閉状態になるとスロット孔１３を閉じる程度の長さになっている。
【００２２】
図１に示すように、前面壁７の電気部品収納部６における部分には第１ガイドレール１５Ａが形成されている。図２に示すように、電気部品収納部６の上面壁には第２ガイドレール１５Ｂが形成され、筐体２の電気部品収納部６の側面壁の下部には第３ガイドレール１５Ｃが形成されている。グリップ部５の上面壁には第４ガイドレール１５Ｄが形成されている。図１に示すように、グリップ部５には第５ガイドレール１５Ｆ，第６ガイドレール１５Ｇが形成されている。
【００２３】
第３ガイドレール１５Ｃには、第１撮像回路基板１６が水平に挿入されて筐体２の底部に近接した状態で配置されており、第１撮像回路基板１６の下方には第２撮像回路基板１７が配置されている。第１，第２撮像回路基板１７，１８には、撮像素子８の画像信号を処理するためのＡ／Ｄ回路等の電気回路が組み込まれている。第１撮像回路基板１６は第１配線１８Ａを介して第２撮像回路基板１７に接続されている。第１，第２撮像回路基板１７，１８で筐体２内の上下方向のスペースを利用している。第１，第２撮像回路基板１７，１８においては、温度上昇が画質性能に大きく影響を及ぼす。
【００２４】
第１撮像回路基板１６は第２配線１８Ｂを介して撮像素子基板９に接続されている。
ここで、撮像素子８及び第１，第２撮像回路基板１７，１８は、撮影時のみ駆動して常時駆動していることはなく、そのため、それ自体も発熱源となるが、発熱量は大きくない。
【００２５】
そして、第１ガイドレール１５Ａ，第２ガイドレール１５Ｂ，第１撮像回路基板１６上に設けた第７ガイドレール１５Ｅには画像表示回路基板１９が挿入されて接続されている。画像表示回路基板１９は、低温発熱性電気回路基板で、撮像素子８の左側に位置され、第１撮像回路基板１６に対して直角に配置されるとともに、レンズ光軸及びファインダ光軸を含む面Ｍに平行になっている。
【００２６】
画像表示回路基板１９の後端から後面壁１０の段部１０Ａにかけて仕切板２０が配置されている。このような仕切板２０を用いる場合にはプラスチック等の熱伝導率の低い材料を用いることにより、熱遮断の効果が顕著になる。仕切板２０による筐体２の内部空間の仕切は、隙間も許容され、内部空間の分離は必ずしも必要ではなく空気の対流を阻害するような構造であれば良い。
【００２７】
第５ガイドレール１５Ｆ，第６ガイドレール１５Ｇ，第４ガイドレール１５Ｄには、記録圧縮回路系部品として第１記録圧縮回路基板２１が挿入されている。第１記録圧縮回路基板２１は、低温発熱性電気回路基板で、第１撮像回路基板１６に対して直角に配置されるとともにレンズ光軸及びファインダ光軸を含む面Ｍに平行になっている。第１記録圧縮回路基板２１の右側には、該第１圧縮記録回路基板２１に平行に第２記録圧縮回路基板２２が配置されている。第１記録圧縮回路基板２１は第３配線１８Ｃを介して第２記録圧縮回路基板２２に接続されている。
【００２８】
このようにして、画像表示回路基板１９，仕切板２０，第１記録圧縮回路基板２１，第１撮像回路基板１６で筐体２の内部空間を区画することにより、筐体２の内部空間は、ミドルスペース２３Ａからなる内部空間，第１サイドスペース２３Ｂ，第２サイドスペース２３Ｃに分割されている。ミドルスペース２３Ａには撮像素子８が配置されている。
【００２９】
筐体２のグリップ部５内は、記録圧縮回路系部品として、第１記録圧縮回路基板２１，第２記録圧縮回路基板２２，外部記録部材用コネクタ２４が順々に左右方向の外側（図１の右側）に配置されている。外部記録部材用コネクタ２４の外側には、電源回路基板２５が筐体２の側面壁に近接して配置されている。電源回路基板２５は第２記録圧縮回路基板２２より外側に配置され、放熱用金属板２６を介して筐体２のグリップ部５に固定され、高温発熱性電気回路基板とされている。第２サイドスペース２３Ｃには、第２記録圧縮回路基板２２，外部記録部材用コネクタ２４，電源回路基板２５が収容されている。
【００３０】
第１記録圧縮回路基板２１は、両面実装されており、配線１８Ｄを介して第１撮像回路基板１６に接続されている。配線１８Ｃ，１８Ｄにより信号の授受が行なわれる。両面実装の第１記録圧縮回路基板２１を用いることにより、配線の為の空隙は必要なく、第１記録圧縮回路基板２１を利用した簡単な構造で筐体２の内部空間の仕切を形成することができる。
【００３１】
外部記録部材用コネクタ２４は、レンズ光軸及びファインダ光軸を含む面Ｍに平行に配置され、後面壁１０のグリップ部５における部分のスリット孔１３に開口している。
外部記録部材用コネクタ２４には、スマートメディア等の外部記録部材２７が挿入されて、その状態で、開閉蓋１４が外部記録部材２７の外側から閉じられるようになっている。グリップ部５内にレンズ光軸及びファインダ光軸を含む面Ｍに平行に外部記録部材用コネクタ２４が配置されているので、当該一眼レフレックス式電子スチルカメラ１の使用中はグリップ部５のスリット孔１３が常に手で握られた状態となり、不用意に外部記録部材２７を取り外す危険を確実に避けることができる。
【００３２】
電気部品収納部６の収容スペース６Ａは、画像表示回路基板１９を介して分割されており、画像表示回路基板１９の左側部分は第１サイドスペース２３Ｂを構成し、第１サイドスペース２３Ｂには、画像表示回路基板１９の左右方向の外側（図１の左側）に位置して第１インバータ回路基板２８，第２インバータ回路基板２９が配置されている。第１，第２インバータ回路基板２８，２９は、高温発熱性電気回路基板とされている。第１，第２インバータ回路基板２８，２９は、発熱源となるが、筐体２の電気部品収納部６の側面壁に近くに位置しているので、放熱効率を良くするとともに組立性も良好とされている。
【００３３】
画像表示回路基板１９は、両面実装されており、配線１８Ｅを介して第１撮像回路基板１６に接続されるとともに、配線１８Ｆを介して第１インバータ回路基板２８に接続されている。画像表示回路基板１９を仕切板に用いることにより、配線の為の空隙は必要なく、簡単な構造で筐体２の内部空間の仕切を形成することができる。配線１８Ｅ，１８Ｆにより信号の授受が行なわれる。第１インバータ回路基板２８は配線１８Ｇを介して第２インバータ回路基板２９に接続されている。このように、電子回路の各機能毎に電子回路基板が配置され、電子回路基板間の配線数を少なくすることができ、各機能毎に検査することもできる。
【００３４】
画像表示回路基板１９及び第１，第２インバータ回路基板２８，２９で画像表示用駆動回路３０が構成されている。
また、筐体２内には、仕切板２０且つ収容スペース６Ａの後方に位置して、画像表示部３１が配置されている。画像表示部３１は周知の液晶表示部３２と照明用光源３３とで構成され、撮像素子８に対して左方にずれて配置されている。液晶表示部３２は背面方向からみて４角形状に構成され、レンズ光軸Ｌに直角になっている。照明用光源３３は図３の上下方向に沿った筒型に構成され、４角形状の液晶表示部３２におけるレンズ光軸Ｌから最も遠い側である縦辺３２Ａに平行に配置されている。
【００３５】
上述の画像表示用駆動回路３０と画像表示部３１とで画像表示系３４が構成されている。画像表示系３４はレンズ光軸及びファインダ光軸を含む面Ｍを挟んで記録圧縮回路系，電源回路基板２５に左右方向で対向している。
また、発熱素子を持つ基板３５は、筐体２の電気部品収納部６の側面壁に近く配置され、該発熱素子は筐体２の側面壁に向けて実装されている。筐体２の側面壁に放熱部材３６が取り付けられている。これにより、発熱素子を持つ基板３５の熱は、放熱部材３６等を介して放熱され、効率の良い放熱が行なわれる。
【００３６】
また、上述した配線１８Ａ，１８Ｂ，１８Ｃ，１８Ｄ，１８Ｅ，１８Ｆ，１８Ｇにはリード線・フレキシブル基板或いは基板間コネクタ等が用いられ、これらの配線により上述した各電気回路基板同士が連結されている。また、上述した各電気回路基板は筐体２に固定されている。
第１撮像回路基板１６の右端部は、クッション材３７を介して第１記録圧縮回路基板２１の内側面に接しており、第１撮像回路基板１６，第１記録圧縮回路基板２１の左右方向のズレを組立時に吸収することもできる。
【００３７】
なお、図１，図２において、太い点線部分で示す領域は電気回路基板等の実装が不可能な部分を示し、機構部品や光路に用いられる。例えば、筐体２内には、撮像素子８の前方のスペースに、銀塩一眼レフレックス式カメラのレフレックス式のファインダ装置（ミラーによりファインダ機能と撮影機能を有する），シャッター等の同様の機構部品が装着されている。
【００３８】
次に、本実施の形態における作用について説明する。
上述のように、筐体２のグリップ部５内に記録圧縮回路系部品として第１記録圧縮回路基板２１，第２記録圧縮回路基板２２，外部記録部材用コネクタ２４が配置され、電気部品収納部６の内部に画像表示系部品として画像表示用駆動回路３０，液晶表示部３２と照明用光源３３とで構成された画像表示部３１が配置されているので、記録圧縮回路系部品，画像表示系部品が機能ごとに左右に分割され、従来のように筐体２の胴体中央部４に、図５に示す第１電気回路基板１０８，第２電気回路基板１０９に相当する電気回路基板を配置する必要がなく、筐体２の胴体中央部４が薄くなり、筐体２の厚みが増すことはない。換言すれば、筐体２の厚みは従来のように電気回路基板の影響を受けることはない。
【００３９】
従って、一眼レフレックス式電子スチルカメラ１は、電気的に被写体を記録する構造であっても、フィルム送り機構を内蔵して内部構造が相違する銀塩一眼レフレックス式カメラと同様の左右の重量バランスが確保され、また、グリップ部５，電気部品収納部６が手で操作するための部分として利用され、操作性が確保される。
【００４０】
次に、撮像素子８に対する熱影響について説明する。
熱やノイズの影響を受け易い撮像素子８は、発熱する画像表示系部品（第１，第２インバータ回路基板２８，２９，照明用光源３３）から離れているので、該画像表示系部品の熱から保護される。
また、熱による性能変動の少ない２枚の低温発熱性電気回路基板（画像表示回路基板１９，第１記録圧縮回路基板２１）により、筐体２の内部空間は、撮像素子８が配置されたミドルスペース２３Ａからなる内部空間，第１サイドスペース２３Ｂ，第２サイドスペース２３Ｃに分割されている。
【００４１】
撮像素子８の配置されたミドルスペース２３Ａからなる内部空間は、高温発熱性電気回路基板（第１，第２インバータ回路基板２８，２９）の配置された第１サイドスペース２３Ｂ，高温発熱性電気回路基板（電源回路基板２５）の配置された第２サイドスペース２３Ｃとは別空間に仕切られている。
従って、温度上昇の大きな高温発熱性電気回路基板で発生した熱は、２枚の低温発熱性電気回路基板により、撮像素子８の配置されたミドルスペース２３Ａからなる内部空間へ伝達され難くなっている。従って、撮像素子８の配置されたミドルスペース２３Ａからなる内部空間は、空気対流による撮像素子８の温度上昇が抑制される。
【００４２】
詳しく説明すると、電源回路基板２５，第１，第２インバータ回路基板２８，２９，画像表示部３１等は撮影後の画像の確認及び編集等に使用されるために動作している時間が長い。これらの電源回路基板２５，第１，第２インバータ回路基板２８，２９，画像表示部３１等は高温の状態で発熱源となり、その発熱の割合が装置全体の大きな部分を占めている。これらの回路基板の駆動により生じた熱は内部温度上昇を引き起して撮像素子８の温度が上昇し、画質の重要な要素である撮像素子８のＳ／Ｎの悪化を招くことなる。しかし、本実施の形態においては発熱源となる電源回路基板２５，第１，第２インバータ回路基板２８，２９は撮像素子８及び第１撮像回路基板１６より離れた位置に配置され、かつ筐体２の側面壁に近接した位置にあるため、電源回路基板２５，第１，第２インバータ回路基板２８，２９から発生する熱を筐体２に放熱し易い構成となっている。従って、撮像素子８は発熱源の影響を最も受け難い配置となっている。
【００４３】
また、筐体２の内部は、２枚の低温発熱性電気回路基板（画像表示回路基板１９，第１記録圧縮回路基板２１），仕切板２０により高温発熱性電気回路基板（第１，第２インバータ回路基板２８，２９，電源回路基板２５）から仕切られているため、撮像素子８は、それ以外の高温発熱性電気回路基板の発熱によって暖められた内部空気の対流による温度上昇はなく、撮像素子８の温度上昇によるＳ／Ｎの悪化は少なくなる。なお、筐体２の内部を仕切るため画像表示回路基板１９を用いていることにより温度の上昇によりある程度の影響を受けて表示画像にノイズが乗ることも考えられるが、画像情報自体にノイズが乗っているわけではないので、画像情報を他の表示手段で確認すれば、高画質な画像が得られたことを確認できる。このように、低温発熱性電気回路基板として画像表示回路基板１９，第１記録圧縮回路基板２１を用いて筐体２の内部空間を仕切ることで良い状態での画像情報が記録でき、組立作業性もよく小型化も達成できることになる。
【００４４】
次に、画像表示部３１の照明用光源３３の配置による作用について説明する。さらに、画像表示部３１の照明用光源３３は筒型に構成され、照明用光源３３は、４角形状の液晶表示部３２におけるレンズ光軸Ｌから最も遠い側の縦辺３２Ａに平行に配置されているので、照明用光源３３は撮像素子８から遠くなり、画像表示部３１の照明用光源３３の発熱による撮像素子８の温度上昇が抑えられ、高画質な撮影画像が得られる。
【００４５】
すなわち、画像表示部３１の発熱部分である照明用光源３３は、液晶表示部３２の縦辺３２Ａに平行に配置されているため、撮像素子８から最も離れた位置となり、且つ、筐体２に２方向から放熱される位置となる。これにより、放熱の効率を良くできるとともに、撮像素子８に与える熱の影響を最も小さくできる。筐体２が金属等の伝導率の高い材質を用いていれば放熱効率はさらに高くなり、外部からのノイズによる撮像素子８のＳ／Ｎの悪化を最小限に抑え、安定して高画質を得やすくなる。
【００４６】
以上の如き構成によれば、次の効果を奏する。
第１に、筐体２のグリップ部５内に記録圧縮回路系部品として第１記録圧縮回路基板２１，第２記録圧縮回路基板２２，外部記録部材用コネクタ２４が配置され、電気部品収納部６の内部に画像表示系部品として画像表示用駆動回路３０，液晶表示部３２と照明用光源３３とで構成された画像表示部３１が配置されているので、従来のように筐体２の胴体中央部４に電気回路基板を配置する必要がなく、筐体２の胴体中央部４が薄いレイアウトを具現できる。
【００４７】
第２に、筐体２のグリップ部５には、記録圧縮回路系が配置され、しかも、記録圧縮回路系はレンズ光軸Ｌに平行になっているので、筐体２の左右方向の幅を狭くして小型化を可能にし、グリップ部５内のスペースを利用することにより第１，第２記録圧縮回路基板２１，２２の長さが長くても、筐体２の胴体中央部４を薄くできる。
【００４８】
また、外部記録部材２７の形状や、従来における撮像素子基板背面に重ねた基板の厚さに合わて筐体２の厚みを増すことなく薄型且つ小型に構成することができる。
第３に、グリップ部５内に外部記録部材２７を内蔵するように配置したため、外部記録部材２７を保持するための突出部分が不要となる。
【００４９】
第４に、電気部品収納部６の内部に、画像表示系部品である液晶表示部３２が配置されているので、操作者が筐体２のグリップ部５を手で持った時、液晶表示部３２は手で隠れることがなく、液晶表示部３２を見ることができ、また、液晶表示部３２の大きさを充分に確保できる。
【００５０】
第５に、一眼レフレックス式電子スチルカメラ１であっても、レンズ光軸及びファインダ光軸を含む面Ｍの両側に記録圧縮回路系部品，画像表示系部品が配置されているので、銀塩一眼レフレックス式カメラと同様に左右の重量バランスを確保できるとともに操作性を確保できる。
第６に、一眼レフレックス式電子スチルカメラ１においては、銀塩カメラで言うところのフィルム室或いはパトローネ部分を効率よく使用して小型化を図ることができる。
【００５１】
第７に、熱やノイズの影響を受け易い撮像素子８は、発熱する画像表示系部品（第１，第２インバータ回路基板２８，２９，照明用光源３３）から離れているので、該画像表示系部品の熱から保護することができる。
第８に、２枚の低温発熱性電気回路基板（画像表示回路基板１９，第１記録圧縮回路基板２１）を介して、筐体２の内部空間は撮像素子８が配置されたミドルスペース２３Ａからなる内部空間，第１サイドスペース２３Ｂ，第２サイドスペース２３Ｃに分割されているので、２枚の低温発熱性電気回路基板の間のミドルスペース２３Ａからなる内部空間の空気対流を抑え、高温発熱性電気回路基板（第１，第２インバータ回路基板２８，２９，電源回路基板２５）における発熱の影響を受けることなく、撮像素子８の温度上昇を抑制して画質の低下を抑えることができる。
【００５２】
第９に、高温発熱性電気回路基板（第１，第２インバータ回路基板２８，２９）は電気部品収納部６の側面壁に近接して配置され、高温発熱性電気回路基板（電源回路基板２５）は筐体２の側面壁に近接して配置されているので、撮像素子８から高温発熱性電気回路基板までの距離を大きくすることができ、高温発熱性電気回路基板の温度上昇の影響によって撮像素子８の温度上昇が生じても、Ｓ／Ｎの悪化を最小限に抑え、画質の低下を抑えることができる。
【００５３】
第１０に、画像表示系部品である画像表示部３１の照明用光源３３は撮像素子８から遠くなり、撮像素子８の温度上昇を抑え、画質の低下を抑えることができる。
第１１に、撮像素子８の画像信号を処理するためのＡ／Ｄ回路等の電気回路は、撮像素子基板９から第１，第２撮像回路基板１７，１８に分割されているので、次の効果を奏する。
【００５４】
▲１▼撮像素子基板９を必要最小限の大きさにすることができ、撮像素子８の左右位置調整のために必要な左右方向のクリアランスを小さくできる。
▲２▼撮像素子８からの信号は、ノイズの影響も受け易いが、第１撮像回路基板１６を筐体２の底部に配置することで配線の距離が短くなり、ノイズの影響を受けずに済む。そのため、熱やノイズの影響による撮像素子８における画像の劣化を少なくすることができ、高画質な画像を得ることができ、同時に筐体２の小型化、薄型化を図ることができる。
【００５５】
▲３▼第１撮像回路基板１６を筐体２の底部に配置したことにより筐体２の全体の厚みが厚くなることを回避できる。
なお、本実施の形態においては、低温発熱性電気回路基板の例として、第１記録圧縮回路基板２１，画像表示回路基板１９を挙げて説明したが、これらに限定されることなく、低温発熱性電気回路基板は基板全体の発熱量の多くない他の基板でも良い。
【００５６】
また、本実施の形態においては、筐体２の内部空間は、撮像素子８の両側の２枚の低温発熱性電気回路基板（画像表示回路基板１９，第１記録圧縮回路基板２１）を用いてミドルスペース２３Ａ，第１サイドスペース２３Ｂ，第２サイドスペース２３Ｃに分割されているが、低温発熱性電気回路基板に代えて仕切板を用いることもできる。
【００５７】
さらに、本実施の形態においては、画像表示系部品のすべての部品が電気部品収納部６の内部に配置されている例について説明したが、画像表示系部品のうちの画像表示部（液晶表示部及び照明用光源）を電気部品収納部６の外部に配置することもできる。
そして、本実施の形態においては、第１撮像回路基板１６の右端部は、クッション材３７を介して第１記録圧縮回路基板２１の内側面に接しているが、クッション材３７は必ずしも必要ではない。
【００５８】
加えて、本実施の形態においては、撮像素子基板９は胴体取付部２Ｂに取り付けられているが、撮像素子基板９を後面壁１０に取り付けることもできる。
そして、また、本実施の形態においては、照明用光源３３は図３の上下方向に沿って配置され、４角形状の液晶表示部３２におけるレンズ光軸Ｌから最も遠い側である縦辺３２Ａに平行に配置されているが、図４に示すように、液晶表示部３８の位置を図３よりも下方にずらして液晶表示部３８の横辺３９Ａがレンズ光軸Ｌから最も遠い側になった場合には、横辺３９Ａに平行に照明用光源３９を配置することもできる。
【００５９】
そして、さらに、本実施の形態においては、電子スチルカメラの例として、一眼レフレックス式電子スチルカメラを例に挙げて説明したが、これに限定されることはない。
【００６０】
【発明の効果】
請求項１記載の発明によれば、次の効果を奏する。
【００６１】
Ａ）筐体のグリップ部内に記録圧縮回路系部品が配置され、電気部品収納部の内部に画像表示系部品が配置されているので、従来のように筐体の胴体中央部に電気回路基板を配置する必要がなく、筐体の胴体中央部が薄いレイアウトを具現できる。
Ｂ）筐体のグリップ部には、記録圧縮回路系が配置されているので、筐体の左右方向の幅を狭くして小型化を可能にし、グリップ部の前後のスペースを利用することにより、筐体の胴体中央部を薄くできる。
【００６２】
また、外部記録部材の形状や、従来における撮像素子基板の背面に重ねた電気回路基板の厚さに合わせて筐体の厚みを増すことなく薄型且つ小型に構成することができる。
Ｃ）電気部品収納部の内部に、画像表示系部品が配置されているので、操作者が筐体のグリップ部を手で持った時、画像表示系部品である液晶表示部は手で隠れることがなく、液晶表示部を見ることができ、また、液晶表示部の大きさを充分に確保できる。
【００６３】
Ｄ）一眼レフレックス式電子スチルカメラであっても、銀塩一眼レフレックス式カメラと同様に左右の重量バランスを確保できるとともに操作性を確保できる。
【００６４】
請求項２記載の発明によれば、対向する２枚の低温発熱性電気回路基板で筐体の内部空間を仕切ることにより、２枚の低温発熱性電気回路基板の間の撮像素子の配置されている内部空間の空気対流を抑えることができ、撮像素子は高温発熱性電気回路基板における発熱の影響を受けることなく、該撮像素子の温度上昇が抑制されて、画質の低下を抑えることができる。
【００６５】
また、高温発熱性電気回路基板は筐体の両端の側面壁に近接して配置されているので、撮像素子から高温発熱性電気回路基板までの距離を大きく採ることができ、高温発熱性電気回路基板の温度上昇の影響によって撮像素子の温度上昇が生じることなく、Ｓ／Ｎの悪化を最小限に抑え、画質の低下を抑えることができる。
請求項３記載の発明によれば、画像表示系部品である画像表示部の照明用光源は撮像素子から遠くなり、撮像素子の温度上昇を抑え、画質の低下を抑えることができる。
【図面の簡単な説明】
【図１】  請求項１ないし請求項３記載の発明の実施の形態に係わる電子スチルカメラを示す断面図である。
【図２】 同電子スチルカメラを示す一部を切り欠いた背面図である。
【図３】同電子スチルカメラを示す背面図である。
【図４】画像表示部の他の配置を示す電子スチルカメラの背面図である。
【図５】従来における電子スチルカメラを示す断面図である。
【符号の説明】
１  一眼レフレックス式電子スチルカメラ
２  筐体
４  胴体中央部
５  グリップ部
６  電気部品収納部
６Ａ  収容スペース
８  撮像素子
１９  画像表示回路基板
２１  第１記録圧縮回路基板
２２  第２記録圧縮回路基板
２４  外部記録部材用コネクタ
２７  外部記録部材
２８  第１インバータ回路基板
２９  第２インバータ回路基板
３０  画像表示用駆動回路
３１  画像表示部
３２  液晶表示部
３３  照明用光源
【図１】
0004065970.tif 000002
【図２】
0004065970.tif 000003
【図３】
0004065970.tif 000004
【図４】
0004065970.tif 000005
【図５】
0004065970.tif 000006